(57)【要約】      （修正有）【課題】シアンインクとして良好な色相を有し、耐光性、耐オゾン性及び耐湿性に優れたインクジェット記録に適したフタロシアニン色素を提供する。【解決手段】置換基として少なくとも１つ以上無置換スルファモイル基及び置換スルファモイル基を有する特定のフタロシアニン色素。【選択図】なし【特許請求の範囲】
【請求項１】
置換基として少なくとも１つ以上無置換スルファモイル基及び置換スルファモイル基を有する式（１）で表されるフタロシアニン色素
【化１】
2004315807.tif 000017
｛式（１）中、Ｍは水素原子、金属原子、金属酸化物、金属水酸化物または金属ハロゲン化物を表す。Ｒ2、Ｒ3、Ｒ6、Ｒ7、Ｒ10、Ｒ11、Ｒ14、Ｒ15は各々独立して式（２）で表される無置換スルファモイル基、式（３）で表される置換スルファモイル基又は水素原子を表わす。但し、Ｒ2、Ｒ3、Ｒ6、Ｒ7、Ｒ10、Ｒ11、Ｒ14、Ｒ15のうち少なくとも１つは無置換スルファモイル基、少なくとも１つは式（３）で表される置換スルファモイル基である。又、Ｒ1、Ｒ4、Ｒ5、Ｒ8、Ｒ9、Ｒ12、Ｒ13、Ｒ16は水素原子を表す。無置換スルファモイル基の数と置換スルファモイル基の数の和は２から４であり、且つ無置換スルファモイル基の数は１から３であり、置換スルファモイル基の数は１から３である。｝
【化２】
2004315807.tif 000018
｛式（３）中、Ｒ17及びＲ18はそれぞれ独立して水素原子、置換もしくは無置換のアルキル基、置換もしくは無置換のシクロアルキル基、置換もしくは無置換のアラルキル基、置換もしくは無置換のアリール基、置換もしくは無置換のヘテロ環基、置換もしくは無置換のアルケニル基を表し、Ｒ17及びＲ18どうしが互いに連結して環を形成しても良い。但し、Ｒ17及びＲ18が共に水素原子の場合は除く。また、Ｒ17及びＲ18の少なくとも１つはイオン性親水性基を置換基として有する。｝
【請求項２】
請求項１の式（１）において、ＭがＣｕである式（４）で表される、請求項１に記載のフタロシアニン色素
【化３】
2004315807.tif 000019
（式中、Ｒ1〜Ｒ16は式（１）と同じ意味を示す）。
【請求項３】
Ｒ2とＲ3、Ｒ6とＲ7、Ｒ10とＲ11、Ｒ14とＲ15の各組み合わせにおいて、それぞれの一方が水素原子であり、もう一方が式（２）で表される無置換スルファモイル基、式（３）で表される置換スルファモイル基又は水素原子であり、かつＲ2、Ｒ3、Ｒ6、Ｒ7、Ｒ10、Ｒ11、Ｒ14、Ｒ15のうち、少なくとも１つは無置換スルファモイル基であり、少なくとも１つは式（３）で表される置換スルファモイル基である請求項１または２に記載のフタロシアニン色素
【請求項４】
Ｒ17及びＲ18がそれぞれ独立して水素原子、アルキル基（スルホン酸基、カルボキシル基、水酸基、アルコキシ基、ジアルキルアミノ基、アリールアミノ基、アリール基、ハロゲン原子、シアノ基からなる群から選択される置換基で置換されても良い。）、フェニル基（スルホン酸基、カルボキシル基、水酸基、ジアルキルアミノ基、アリールアミノ基、アセチルアミノ基、ウレイド基、アルキル基、アルコキシ基、ニトロ基、シアノ基、ヘテロ環基、ハロゲン原子からなる群から選択される１種または２種以上の置換基で置換されても良い。）、ナフチル基（スルホン酸基または水酸基で置換されても良い。）ベンジル基（スルホン酸基で置換されても良い。）、フェネチル基（スルホン酸で置換されても良い。）である請求項１から３のいずれか一項に記載のフタロシアニン色素
【請求項５】
Ｒ17が水素原子、カルボキシ（Ｃ１〜Ｃ５）アルキル基、（Ｃ１〜Ｃ５）アルキル基、ヒドロキシ（Ｃ１〜Ｃ５）アルキル基、またはスルホ（Ｃ１〜Ｃ５）アルキル基であり、Ｒ18がスルホ（Ｃ１〜Ｃ５）アルキル基、カルボキシ（Ｃ１〜Ｃ５）アルキル基、スルホン酸基、カルボキシル基または水酸基を有するフェニル基、ジ（スルホ（Ｃ１〜Ｃ５）アルキル）アミノ（Ｃ１〜Ｃ５）アルキル基、スルホン酸基、カルボキシル基または水酸基を有するフェニル基で置換されたベンゾトリアゾリル基、スルホン酸基、カルボキシル基または水酸基を有するベンゾトリアゾール基で置換されたフェニル基、スルホン酸基または水酸基を有するナフチル基、スルホン酸基、カルボキシル基または水酸基を有するウラシル基、スルホン酸基、カルボキシル基または水酸基を有するトリアゾール基、スルホン酸基、カルボキシル基または水酸基を有するチアゾリル基、スルホン酸基、カルボキシル基または水酸基を有するベンゾチアゾリル基、スルホン酸基、カルボキシル基または水酸基を有するピリジン基、スルホン酸基、カルボキシル基または水酸基を有するベンズイミダゾリル基である請求項１から３のいずれか一項に記載のフタロシアニン色素
【請求項６】
式（１）の色素の含量が色素全体に対して少なくとも６０％以上である請求項１に記載のフタロシアニン色素
【請求項７】
式（１）が、式（５）で表されるフタロシアニン色素またはその塩に塩素化剤を反応させ、スルホン酸基をクロロスルホン基に変換した後、有機アミンの存在下にアミド化剤を反応させて得られてなる請求項１から５のいずれか一項に記載のフタロシアニン色素
【化４】
2004315807.tif 000020
｛式（５）中、Ｍは水素原子、金属元素、金属酸化物、または金属ハロゲン化物を、Ｌはプロトン、アルカリ金属イオン、アルカリ土類金属イオン、有機アミンのオニウムイオンまたはアンモニウムイオンをそれぞれ示す。ａ、ｂ、ｃ、ｄは０又は１であり、その和は２〜４の整数である。｝
【請求項８】
４−スルホフタル酸誘導体又は、４−スルホフタル酸誘導体と（無水）フタル酸誘導体を金属化合物の存在下に反応させることにより得られるスルホ金属フタロシアニン化合物またはその塩に塩素化剤を反応させ、スルホン酸基をクロロスルホン基に変換した後、アミド化剤と有機アミンを反応させて得られるフタロシアニン色素
【請求項９】
色素成分として請求項１から８のいずれか一項に記載のフタロシアニン色素を含有することを特徴とするインク
【請求項１０】
有機溶剤を含有する請求項９に記載のインク
【請求項１１】
インクジェット記録用である請求項９または１０に記載のインク
【請求項１２】
色素濃度の異なる２種類以上のシアンインクを用いるインクジェットプリンタにおいて、そのうちの少なくとも１種類は請求項９から１１のいずれか一項に記載のインクを用いることを特徴とするインクセット
【請求項１３】
インク滴を記録信号に応じて吐出させて被記録材に記録を行うインクジェット記録方法において、請求項９から１１のいずれか一項に記載のインクまたは請求項１２に記載のインクセットを使用することを特徴とするインクジェット記録方法
【請求項１４】
被記録材が情報伝達用シートである請求項１３に記載のインクジェット記録方法
【請求項１５】
情報伝達用シートが表面処理されたシートであって、支持体上に白色無機顔料粒子を含有するインク受像層を有するシートである請求項１４に記載のインクジェット記録方法
【請求項１６】
請求項９から１２のいずれか一項に記載のインクまたはインクセットを含有する容器
【請求項１７】
請求項１６に記載の容器を有するインクジェットプリンタ
【請求項１８】
請求項９から１２のいずれか一項に記載のインクまたはインクセットで着色された着色体
【請求項１９】
４−スルホフタル酸誘導体又は、４−スルホフタル酸誘導体と（無水）フタル酸誘導体を銅化合物の存在下に反応させることにより得られる化合物またはその塩に塩素化剤を反応させ、スルホン酸基をクロロスルホン基に変換した後、アミド化剤と有機アミンを反応させて得られることを特徴とするフタロシアニン色素の製造方法
【請求項２０】
下記式（９）
【化５】
2004315807.tif 000021
｛式中、Ｍは水素原子、金属原子、金属酸化物、金属水酸化物または金属ハロゲン化物を表し、ｌは０を含み１より小さく、ｍは１以上で３．７以下、ｎは０．３以上で３以下であり、ｌ、ｍ、ｎの合計は２以上４以下であり、Ｒ17及びＲ18はそれぞれ独立して水素原子、置換もしくは無置換のアルキル基、置換もしくは無置換のシクロアルキル基、置換もしくは無置換のアラルキル基、置換もしくは無置換のアリール基、置換もしくは無置換のヘテロ環基、置換もしくは無置換のアルケニル基を表し、Ｒ17及びＲ18どうしが互いに連結して環を形成しても良い。但し、Ｒ17及びＲ18が共に水素原子の場合は除く。また、Ｒ17及びＲ18の少なくとも１つはイオン性親水性基を置換基として有する。｝
で表されるフタロシアニン色素において、β置換体が６０％以上であり、α位置換体が４０％以下であるフタロシアニン色素
【発明の詳細な説明】
【技術分野】
【０００１】
本発明はフタロシアニン色素、インク、インクセット、このインクまたはインクセットを用いたインクジェット記録方法、着色体、耐オゾン性改良方法および製造方法に関する。
【背景技術】
【０００２】
近年、画像記録材料としては、特にカラー画像を形成するための材料が主流であり、具体的には、インクジェット方式記録材料、感熱転写型画像記録材料、電子写真方式を用いる記録材料、転写式ハロゲン化銀感光材料、印刷インク、記録ペン等が盛んに利用されている。また、ディスプレーではＬＣＤやＰＤＰにおいて、撮影機器ではＣＣＤなどの電子部品において、カラーフィルターが使用されている。これらのカラー画像記録材料やカラーフィルターでは、フルカラー画像を再現あるいは記録するために、いわゆる加法混色法や減法混色法の３原色の色素（染料や顔料）が使用されているが、好ましい色再現域を実現出来る吸収特性を有し、且つさまざまな使用条件に耐えうる色素がないのが実状であり、改善が強く望まれている。
【０００３】
インクジェット記録方法は、材料費が安価であること、高速記録が可能なこと、記録時の騒音が少ないこと、更にカラー記録が容易であることから、急速に普及し、更に発展しつつある。インクジェット記録方法には、連続的に液滴を飛翔させるコンティニュアス方式と画像情報信号に応じて液滴を飛翔させるオンデマンド方式が有り、その吐出方式にはピエゾ素子により圧力を加えて液滴を吐出させる方式、熱によりインク中に気泡を発生させて液滴を吐出させる方式、超音波を用いた方式、あるいは静電力により液滴を吸引吐出させる方式等がある。また、インクジェット記録に適したインクの例としては、水性インク、油性インク、あるいは固体（溶融型）インク等が挙げられる。
【０００４】
このようなインクジェット記録に適したインクに用いられる色素に対しては、溶剤に対する溶解性あるいは分散性が良好なこと、高濃度記録が可能であること、色相が良好であること、光、熱、環境中の活性ガス（ＮＯｘ、オゾン等の酸化性ガスの他ＳＯｘなど）に対して強いこと、水や薬品に対する耐久性に優れていること、被記録材に対して定着性が良く滲みにくいこと、インクとしての保存性に優れていること、毒性がないこと、更には、安価に入手できることが要求されている。特に、良好なシアンの色相を有し、耐光性（光に対する耐久性）、耐オゾン性（オゾンガスに対する耐久性）及び耐湿性（高湿度下における耐久性）に優れ、ブロンズ現象（ブロンジング現象とも言う）を起こさないシアン色素が強く望まれている。ブロンズ現象とは色素の会合やインクの吸収不良などが原因で光沢紙等の表面上に色素が金属片状になり、ぎらつく現象のことを言う。この現象が起こると光沢性、印字品位、印刷濃度すべての点で劣るものとなる。
【０００５】
インクジェット記録に適したインクに用いられる水溶性シアン色素の骨格としてはフタロシアニン系やトリフェニルメタン系が代表的である。最も広範囲に報告され、利用されている代表的なフタロシアニン系色素としては、以下のＡ〜Ｈで分類されるフタロシアニン誘導体がある。
【０００６】
Ａ：Ｄｉｒｅｃｔ  Ｂｌｕｅ ８６、Ｄｉｒｅｃｔ  Ｂｌｕｅ ８７、Ｄｉｒｅｃｔ  Ｂｌｕｅ １９９、Ａｃｉｄ  Ｂｌｕｅ  ２４９又はＲｅａｃｔｉｖｅ  Ｂｌｕｅ  ７１等のフタロシアニン系色素
〔例えば、Ｃｕ-Ｐｃ-（ＳＯ3Ｎａ）ｍ  ：  ｍ＝1〜４の混合物〕
【０００７】
Ｂ：特許文献１〜３等に記載のフタロシアニン系色素
〔例えば、Ｃｕ-Ｐｃ-（ＳＯ3Ｎａ）ｍ（ＳＯ2ＮＨ2）ｎ  ：  ｍ＋ｎ＝1〜４の混合物〕
【０００８】
Ｃ：特許文献４等に記載のフタロシアニン系色素
〔例えば、Ｃｕ-Ｐｃ-（ＣＯ2Ｈ）ｍ（ＣＯＮＲ1Ｒ2）ｎ  ：  ｍ＋ｎ＝０〜４の数〕
【０００９】
Ｄ：特許文献５等に記載のフタロシアニン系色素
〔例えば、Ｃｕ-Ｐｃ-（ＳＯ3Ｈ）ｍ（ＳＯ2ＮＲ1Ｒ2）ｎ  ：  ｍ＋ｎ＝０〜４の数、且つ、ｍ≠０〕
【００１０】
Ｅ：特許文献６等に記載のフタロシアニン系色素
〔例えば、Ｃｕ-Ｐｃ-（ＳＯ3Ｈ）ｌ（ＳＯ2ＮＨ2）ｍ（ＳＯ2ＮＲ1Ｒ2）ｎ  ：  ｌ＋ｍ＋ｎ＝０〜４の数〕
【００１１】
Ｆ：特許文献７等に記載のフタロシアニン系色素
〔例えば、Ｃｕ-Ｐｃ-（ＳＯ2ＮＲ1Ｒ2）ｎ  ：  ｎ＝１〜５の数〕
【００１２】
Ｇ：特許文献８、９等に記載のフタロシアニン系色素
〔置換基の置換位置を制御したフタロシアニン化合物、β−位に置換型が導入されたフタロシアニン系色素〕
【００１３】
Ｈ：特許文献１０等に記載のピリジン環を有するフタロシアニン系色素
【００１４】
現在一般に広く用いられ、Ｄｉｒｅｃｔ  Ｂｌｕｅ ８６又はＤｉｒｅｃｔ  Ｂｌｕｅ １９９に代表されるフタロシアニン系色素については、一般に知られているマゼンタ色素やイエロー色素に比べ耐光性に優れるという特徴がある。フタロシアニン系色素は酸性条件下ではグリーン味の色相であり、シアンインクとしては余り好ましくない。そのためこれらの色素をシアンインクとして用いる場合は中性からアルカリ性の条件下で使用するのが好ましい。しかしながら、インクが中性からアルカリ性でも、用いる被記録材が酸性紙である場合印刷物の色相が大きく変化する可能性がある。
【００１５】
さらに、昨今環境問題として取りあげられることの多い酸化窒素ガスやオゾン等の酸化性ガスによってもグリーン味に変色及び消色し、同時に印字濃度も低下してしまう。
【００１６】
一方、トリフェニルメタン系については、色相は良好であるが、耐光性、耐オゾン性及び耐湿性において非常に劣る。
【００１７】
今後、使用分野が拡大して、広告等の展示物に広く使用されると、光や環境中の活性ガスに曝される場合が多くなるため、特に、良好な色相を有し、耐光性および環境中の活性ガス（ＮＯｘ、オゾン等の酸化性ガスの他ＳＯｘなど）耐性に優れ、安価な色素及びインクがますます強く望まれてくる。しかしながら、これらの要求を高いレベルで満たすシアン色素（例えば、フタロシアニン系色素）及びシアンインクを開発することは難しい。これまで、活性ガス耐性を付与したフタロシアニン系色素は、特許文献３、８〜１１等に開示されているが、色相、耐光性、耐オゾン性及び耐湿性等すべての品質を満足させ、更には安価に製造可能なシアン色素及びシアンインクはいまだ得られていない。よってまだ市場の要求を充分に満足させるには至っていない。
【００１８】
【特許文献１】特開昭６２−１９０２７３号公報
【特許文献２】特開平７−１３８５１１号公報
【特許文献３】特開２００２−１０５３４９号公報
【特許文献４】特開平５−１７１０８５号公報
【特許文献５】特開平１０−１４００６３号公報
【特許文献６】特表平１１−５１５０４８号公報
【特許文献７】特開昭５９−２２９６７号公報
【特許文献８】特開２０００−３０３００９号公報
【特許文献９】特開２００２−２４９６７７号公報
【特許文献１０】特開２００３−３４７５８号公報
【特許文献１１】特開２００２−８０７６２号公報
【発明の開示】
【発明が解決しようとする課題】
【００１９】
本発明は、前記従来における問題を解決し、以下の目的を達成することを課題とする。即ち、本発明の目的は、シアンインクとして良好な色相を有し、耐光性、耐オゾン性及び耐湿性に優れた新規なフタロシアニン色素を提供すること、更には該フタロシアニン色素を用いたインクジェットに適したインク及びインクジェット記録方法を提供することにある。
【課題を解決するための手段】
【００２０】
本発明者らは、良好な色相と耐光性及び耐オゾン性の高いフタロシアニン系色素類を詳細に検討したところ、特定のフタロシアニン系色素をインク用の色素として用いることにより、上記課題を解決できることを見出し、本発明を完成するに至った。より詳しくは、置換スルファモイル基と無置換スルファモイル基の両者を、特定の置換位置（β位：後記参照）に有する下記式（１）で示される金属フタロシアニン色素に関するものであり、該色素は良好なシアン等の色相を有し、耐光性（光に対する耐久性）、耐湿性（高湿度下における耐久性）に優れ、耐オゾン性（オゾンガスに対する耐久性）においても優れることを見いだし、本発明を完成した。以下に本発明を詳しく記載する。即ち、本発明は、
(１)置換基として少なくとも１つ以上無置換スルファモイル基及び置換スルファモイル基を有する式（１）で表されるフタロシアニン色素、
【化１】
2004315807.tif 000002
｛式（１）中、Ｍは水素原子、金属原子、金属酸化物、金属水酸化物または金属ハロゲン化物を表す。Ｒ2、Ｒ3、Ｒ6、Ｒ7、Ｒ10、Ｒ11、Ｒ14、Ｒ15は各々独立して式（２）で表される無置換スルファモイル基、式（３）で表される置換スルファモイル基又は水素原子を表わす。但し、Ｒ2、Ｒ3、Ｒ6、Ｒ7、Ｒ10、Ｒ11、Ｒ14、Ｒ15のうち少なくとも１つは無置換スルファモイル基、少なくとも１つは式（３）で表される置換スルファモイル基である。又、Ｒ1、Ｒ4、Ｒ5、Ｒ8、Ｒ9、Ｒ12、Ｒ13、Ｒ16は水素原子を表す。無置換スルファモイル基の数と置換スルファモイル基の数の和は２から４であり、且つ無置換スルファモイル基の数は１から３であり、置換スルファモイル基の数は１から３である。｝
【化２】
2004315807.tif 000003
｛式（３）中、Ｒ17及びＲ18はそれぞれ独立して水素原子、置換もしくは無置換のアルキル基、置換もしくは無置換のシクロアルキル基、置換もしくは無置換のアラルキル基、置換もしくは無置換のアリール基、置換もしくは無置換のヘテロ環基、置換もしくは無置換のアルケニル基を表し、Ｒ17及びＲ18どうしが互いに連結して環を形成しても良い。但し、Ｒ17及びＲ18が共に水素原子の場合は除く。また、Ｒ17及びＲ18の少なくとも１つはイオン性親水性基を置換基として有する。｝
(２)(１）の式（１）において、ＭがＣｕである式（４）で表される、(１）に記載のフタロシアニン色素、
【化３】
2004315807.tif 000004
（式中、Ｒ1〜Ｒ16は式（１）と同じ意味を示す）。
(３)Ｒ2とＲ3、Ｒ6とＲ7、Ｒ10とＲ11、Ｒ14とＲ15の各組み合わせにおいて、それぞれの一方が水素原子であり、もう一方が式（２）で表される無置換スルファモイル基、式（３）で表される置換スルファモイル基又は水素原子であり、かつＲ2、Ｒ3、Ｒ6、Ｒ7、Ｒ10、Ｒ11、Ｒ14、Ｒ15のうち、少なくとも１つは無置換スルファモイル基であり、少なくとも１つは式（３）で表される置換スルファモイル基である(１）または（２）に記載のフタロシアニン色素、
(４)Ｒ17及びＲ18がそれぞれ独立して水素原子、アルキル基（スルホン酸基、カルボキシル基、水酸基、アルコキシ基、ジアルキルアミノ基、アリールアミノ基、アリール基、ハロゲン原子、シアノ基からなる群から選択される置換基で置換されても良い。）、フェニル基（スルホン酸基、カルボキシル基、水酸基、ジアルキルアミノ基、アリールアミノ基、アセチルアミノ基、ウレイド基、アルキル基、アルコキシ基、ニトロ基、シアノ基、ヘテロ環基、ハロゲン原子からなる群から選択される１種または２種以上の置換基で置換されても良い。）、ナフチル基（スルホン酸基または水酸基で置換されても良い。）ベンジル基（スルホン酸基で置換されても良い。）、フェネチル基（スルホン酸で置換されても良い。）である(１）から（３）のいずれか一項に記載のフタロシアニン色素、
(５)Ｒ17が水素原子、カルボキシ（Ｃ１〜Ｃ５）アルキル基、（Ｃ１〜Ｃ５）アルキル基、ヒドロキシ（Ｃ１〜Ｃ５）アルキル基、またはスルホ（Ｃ１〜Ｃ５）アルキル基であり、Ｒ18がスルホ（Ｃ１〜Ｃ５）アルキル基、カルボキシ（Ｃ１〜Ｃ５）アルキル基、スルホン酸基、カルボキシル基または水酸基を有するフェニル基、ジ（スルホ（Ｃ１〜Ｃ５）アルキル）アミノ（Ｃ１〜Ｃ５）アルキル基、スルホン酸基、カルボキシル基または水酸基を有するフェニル基で置換されたベンゾトリアゾリル基、スルホン酸基、カルボキシル基または水酸基を有するベンゾトリアゾール基で置換されたフェニル基、スルホン酸基または水酸基を有するナフチル基、スルホン酸基、カルボキシル基または水酸基を有するウラシル基、スルホン酸基、カルボキシル基または水酸基を有するトリアゾール基、スルホン酸基、カルボキシル基または水酸基を有するチアゾリル基、スルホン酸基、カルボキシル基または水酸基を有するベンゾチアゾリル基、スルホン酸基、カルボキシル基または水酸基を有するピリジン基、スルホン酸基、カルボキシル基または水酸基を有するベンズイミダゾリル基である(１）から（３）のいずれか一項に記載のフタロシアニン色素、
(６)式（１）の色素の含量が色素全体に対して少なくとも６０％以上である(１）に記載のフタロシアニン色素、
(７)式（１）が、式（５）で表されるフタロシアニン色素またはその塩に塩素化剤を反応させ、スルホン酸基をクロロスルホン基に変換した後、有機アミンの存在下にアミド化剤を反応させて得られてなる(１）から（５）のいずれか一項に記載のフタロシアニン色素、
【化４】
2004315807.tif 000005
｛式（５）中、Ｍは水素原子、金属元素、金属酸化物、または金属ハロゲン化物を、Ｌはプロトン、アルカリ金属イオン、アルカリ土類金属イオン、有機アミンのオニウムイオンまたはアンモニウムイオンをそれぞれ示す。ａ、ｂ、ｃ、ｄは０又は１であり、その和は２〜４の整数である。｝
(８)４−スルホフタル酸誘導体又は、４−スルホフタル酸誘導体と（無水）フタル酸誘導体を金属化合物の存在下に反応させることにより得られるスルホ金属フタロシアニン化合物またはその塩に塩素化剤を反応させ、スルホン酸基をクロロスルホン基に変換した後、アミド化剤と有機アミンを反応させて得られるフタロシアニン色素、
(９)色素成分として(１）から（８）のいずれか一項に記載のフタロシアニン色素を含有することを特徴とするインク、
(１０)有機溶剤を含有する(９）に記載のインク、
(１１)インクジェット記録用である(９）または（１０）に記載のインク、
(１２)色素濃度の異なる２種類以上のシアンインクを用いるインクジェットプリンタにおいて、そのうちの少なくとも１種類は(９）から（１１）のいずれか一項に記載のインクを用いることを特徴とするインクセット、
(１３)インク滴を記録信号に応じて吐出させて被記録材に記録を行うインクジェット記録方法において、(９）から（１１）のいずれか一項に記載のインクまたは(１２）に記載のインクセットを使用することを特徴とするインクジェット記録方法、
(１４)被記録材が情報伝達用シートである(１３）に記載のインクジェット記録方法、
(１５)情報伝達用シートが表面処理されたシートであって、支持体上に白色無機顔料粒子を含有するインク受像層を有するシートである(１４）に記載のインクジェット記録方法、
(１６)(９）から（１２）のいずれか一項に記載のインクまたはインクセットを含有する容器、
(１７)(１６）に記載の容器を有するインクジェットプリンタ、
(１８)(９）から（１２）のいずれか一項に記載のインクまたはインクセットで着色された着色体、
(１９)４−スルホフタル酸誘導体又は、４−スルホフタル酸誘導体と（無水）フタル酸誘導体を銅化合物の存在下に反応させることにより得られる化合物またはその塩に塩素化剤を反応させ、スルホン酸基をクロロスルホン基に変換した後、アミド化剤と有機アミンを反応させて得られることを特徴とするフタロシアニン色素の製造方法、
(２０)下記式（９）
【化５】
2004315807.tif 000006
｛式中、Ｍは水素原子、金属原子、金属酸化物、金属水酸化物または金属ハロゲン化物を表し、ｌは０を含み１より小さく、ｍは１以上で３．７以下、ｎは０．３以上で３以下であり、ｌ、ｍ、ｎの合計は２以上４以下であり、Ｒ17及びＲ18はそれぞれ独立して水素原子、置換もしくは無置換のアルキル基、置換もしくは無置換のシクロアルキル基、置換もしくは無置換のアラルキル基、置換もしくは無置換のアリール基、置換もしくは無置換のヘテロ環基、置換もしくは無置換のアルケニル基を表し、Ｒ17及びＲ18どうしが互いに連結して環を形成しても良い。但し、Ｒ17及びＲ18が共に水素原子の場合は除く。また、Ｒ17及びＲ18の少なくとも１つはイオン性親水性基を置換基として有する。｝
で表されるフタロシアニン色素において、β置換体が６０％以上であり、α位置換体が４０％以下であるフタロシアニン色素、
に関する。
【発明の効果】
【００２１】
本発明のフタロシアニン色素を用いたインクは、シアンインクとして良好な色相を有し、耐光性、耐オゾン性及び耐湿性に優れたインクである。また、長期間保存後の結晶析出、物性変化、色変化等もなく、貯蔵安定性が良好である。更に、他のマゼンタインク及びイエローインクと共に用いることで、広い可視領域の色調を色だしすることができる。従って、本発明のフタロシアニン色素を用いたシアンインクはインクジェット記録用のインクとして極めて有用である。
【発明を実施するための最良の形態】
【００２２】
本発明を詳細に説明する。本発明のインクジェット記録に適したインクは、前記式（１）のフタロシアニン色素を含有することを特徴とする。本発明は、特許文献８で報告された化合物を原料に用いて、スルホン基をクロロスルホン基に変換した後、有機アミン存在下にアミド化剤を反応させたフタロシアニン色素、すなわち式（１）で表される、フタロシアニン環の特定の置換位置（β位）に無置換スルファモイル基と置換スルファモイル基を導入したフタロシアニン色素を使用したインクが、極めてオゾンガスに対して耐性が優れることを見出したものである。
【００２３】
一般にフタロシアニン誘導体は、その合成時において不可避的に、下記式（１）における置換基Ｒ（ｎ＝１〜１６）の置換位置（Ｒ1〜Ｒ16が結合しているベンゼン核上の位置を各々１位〜１６位と定義する）異性体を含む場合があるが、これら置換位置異性体は互いに区別することなく同一誘導体として見なしている場合が多い。
【００２４】
【化６】
2004315807.tif 000007
【００２５】
（式（１）中、Ｍ、Ｒ1〜Ｒ16は前記と同じ意味を示す。）  本明細書において、便宜上置換位置が異なる三種類のフタロシアニン誘導体を以下に定義するように（１）β−位置換型、（２）α−位置換型、（３）α、β−位混合置換型に分類し、置換位置が異なるフタロシアニン誘導体を説明する場合に使用する。
なお、下記の説明において、１位〜１６位の置換位置は上記式（１）の置換基Ｒ1〜Ｒ16が各々結合しているベンゼン核上の位置を意味し、本明細書においては以下同様とする。
【００２６】
（１）β−位置換型：（２及びまたは３位、６及びまたは７位、１０及びまたは１１位、１４及びまたは１５位に特定の置換基を有するフタロシアニン色素）
（２）α−位置換型：（１及びまたは４位、５及びまたは８位、９及びまたは１２位、１３及びまたは１６位に特定の置換基を有するフタロシアニン色素）
（３）α、β−位混合置換型：（１〜１６位の任意の位置に、特定の置換基を有するフタロシアニン色素）
本発明の式（１）で示されるフタロシアニン色素は、上記β−位置換型に属する。
【００２７】
上記のβ−位置換型、α−位置換型、α、β−位混合置換型のそれぞれのフタロシアニン色素は、硝酸等によってフタル酸誘導体に分解したものを、ＮＭＲにて置換位置を調べることにより判別することができる。
すなわち、β−位置換型のフタロシアニン色素を分解すれば４位置換のフタル酸誘導体が、α−位置換型のフタロシアニン色素を分解すれば３位置換のフタル酸誘導体が、α、β−位混合置換型のフタロシアニン色素を分解すれば、３位置換と４位置換のフタル酸誘導体がそれぞれ得られる。
【００２８】
前記式（１）において、Ｍは、水素原子、金属原子又はその酸化物、水酸化物もしくはハロゲン化物を表す。金属原子の具体例としては例えば、Ｌｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等が挙げられる。金属酸化物としてはＶＯ、ＧｅＯ等が挙げられる。また、金属水酸化物としては例えば、Ｓｉ（ＯＨ）2、Ｃｒ（ＯＨ）2、Ｓｎ（ＯＨ）2、ＡｌＯＨ等が挙げられる。さらに、金属ハロゲン化物としては例えば、ＳｉＣｌ2、ＶＣｌ、ＶＣｌ2、ＶＯＣｌ、ＦｅＣｌ、ＧａＣｌ、ＺｒＣｌ、ＡｌＣｌ等が挙げられる。これらの中でもＣｕ、Ｎｉ、Ｚｎ、Ａｌ、ＡｌＯＨが好ましく、Ｃｕが最も好ましい。
【００２９】
本明細書において特に断りがない限り、アルキル基、アルコキシ基、アルケニル基及びシクロアルキル基等における炭素数は本発明の目的が達成される限り特に限定されない。通常、それらの炭素数は１〜１６、好ましくは１〜１２、より好ましくは１〜６、更には１〜４程度である。ただしシクロアルキル基については、通常３〜１２、好ましくは５〜８程度である。また、これらが置換基を有する場合、本発明の目的が達成される限り、置換基の種類は特に限定されない。これらの基の炭素鎖上における好ましい置換基としては例えば、スルホン酸基及びそれから誘導される基（スルホンアミド等）、カルボキシル基及びそれから誘導される基（カルボン酸エステル基等）、リン酸基及びそれから誘導される基（リン酸エステル基等）、水酸基、置換又は無置換のアルコキシ基、置換又は無置換のアミノ基、置換又は無置換のアリール基、ハロゲン原子、シアノ基等が挙げられる。
また、アリール基についても本発明の目的が達成される限り特に限定されない。通常はフェニル基又はナフチル基等である。アリール基上の好ましい置換基としては、例えば上記の炭素鎖上の好ましい置換基として挙げたもの及びウレノイド基、ニトロ基、ヘテロ環基等が挙げられる。
【００３０】
前記式（３）において、Ｒ17及びＲ18はそれぞれ独立して水素原子、置換もしくは無置換のアルキル基、置換もしくは無置換のシクロアルキル基、置換もしくは無置換のアリール基、置換もしくは無置換のヘテロ環基、置換もしくは無置換のアルケニル基を表し、Ｒ17及びＲ18どうしが互いに連結して環を形成しても良い。但し、Ｒ17及びＲ18が共に水素原子の場合は除く。また、Ｒ17及びＲ18の少なくとも１つはイオン性親水性基を置換基として有する。イオン性親水性基としては、陰イオン性親水基が好ましく、例えばスルホン酸基、カルボキシル基、またはリン酸基などが挙げられる。これらのイオン性親水性基は、フリー体であってもよいし、アルカリ金属塩、アルカリ土類金属塩、有機アミンのオニウムイオン塩またはアンモニウム塩であってもよい。アルカリ金属としては、例えばナトリウム、カリウム、リチウム等が挙げられる。アルカリ土類金属としては、カルシウム、マグネシウム等が挙げられる。有機アミンとして、アルキルアミンとしては、例えばメチルアミン、エチルアミン等の炭素数１〜４の低級アルキルアミンが挙げられる。アルカノールアミンとしては、例えばモノエタノールアミン、ジエタノールアミン、トリエタノールアミン、モノイソプロパノールアミン、ジイソプロパノールアミン、トリイソプロパノールアミン等のモノ、ジ又はトリ（炭素数１〜４の低級アルカノール）アミンが挙げられる。好ましくはアンモニウム、ナトリウム、カリウム、リチウム、モノエタノールアミン、ジエタノールアミン、トリエノールアミン、モノイソプロパノールアミン、ジイソプロパノールアミン、トリイソプロパノールアミンの塩である。
【００３１】
上記置換もしくは無置換のアルキル基としては、例えば炭素原子数が１〜１２のアルキル基があげられる。該置換基の例としてはスルホン酸基、カルボキシル基、リン酸基、水酸基、アルコキシ基、アミノ基（アルキル基、アリール基及びアセチル基で置換されても良い）アリール基、ハロゲン原子、シアノ基が挙げられる。中でもスルホン酸基、カルボキシル基、リン酸基、水酸基が好ましい。
【００３２】
上記置換もしくは無置換のシクロアルキル基としては、例えば炭素原子数が３〜１２のシクロアルキル基があげられる。好ましくは炭素数５〜８のシクロアルキル基が挙げられる。該シクロアルキル環上の置換基の例としては例えば、スルホン酸基、カルボキシル基、水酸基、アルコキシ基、アミノ基（アルキル基、アリール基及びアセチル基で置換されても良い。）、アリール基、ハロゲン原子、シアノ基が挙げられる。中でもスルホン酸基、カルボキシル基、リン酸基、水酸基が好ましい。
【００３３】
上記アリール基で置換されたアルキル基（アラルキル基）におけるアルキル基の炭素原数は好ましくは１〜１２程度である。該アラルキル基は置換基を有してもよく、置換基の例としては例えば、スルホン酸基、カルボキシル基、リン酸基、水酸基、アミノ基（アルキル基、アリール基及びアセチル基で置換されても良い）、ウレイド基、アルキル基、アルコキシ基、ニトロ基、シアノ基、ヘテロ環基、ハロゲン原子が挙げられる。中でもスルホン酸基、カルボキシル基、リン酸基、水酸基が好ましい。
【００３４】
上記置換もしくは無置換のアリール基としては、例えばフェニル基、ナフチル基があげられる。置換基の例としては例えば、スルホン酸基、カルボキシル基、リン酸基、水酸基、アミノ基（アルキル基、アリール基及びアセチル基で置換されても良い）、ウレイド基、アルキル基、アルコキシ基、ニトロ基、シアノ基、ヘテロ環基、ハロゲン原子が挙げられる。中でもスルホン酸基、カルボキシル基、リン酸基、水酸基が好ましい。
【００３５】
上記置換もしくは無置換のヘテロ環基としては、５員または６員環のものが好ましく、それらは更に縮環していてもよい。また、芳香族へテロ環であっても、非芳香族ヘテロ環であってもよい。ヘテロ環の例としてはピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、ピロリジン、ピペリジン、ピペラジン、イミダゾリジン、チアゾリンなどが挙げられる。また、これらのヘテロ環は置換基を有していてもよく、その置換基の例としては、スルホン酸基、カルボキシル基、リン酸基、水酸基、アミノ基（アルキル基、アリール基及びアセチル基で置換されても良い。）、ウレイド基、アルキル基、アルコキシ基、ニトロ基、シアノ基、ハロゲン原子が挙げられる。
【００３６】
上記置換もしくは無置換のアルケニル基としては、例えば炭素原子数が１〜１２のアルケニル基があげられる。置換基の例としては例えば、スルホン酸基、カルボキシル基、リン酸基、水酸基、アルコキシ基、アミノ基（アルキル基、アリール基及びアセチル基で置換されても良い。）、アリール基、ハロゲン原子、シアノ基が挙げられる。中でもスルホン酸基、カルボキシル基、リン酸基、水酸基が好ましい。
【００３７】
式（１）中、Ｒ2、Ｒ3、Ｒ6、Ｒ7、Ｒ10、Ｒ11、Ｒ14、Ｒ15は各々独立して式（２）で表される無置換スルファモイル基、式（３）で表される置換スルファモイル基又は水素原子を表わし、Ｒ2、Ｒ3、Ｒ6、Ｒ7、Ｒ10、Ｒ11、Ｒ14、Ｒ15のうち、少なくとも１つは無置換スルファモイル基、少なくとも１つは置換スルファモイル基である。Ｒ1、Ｒ4、Ｒ5、Ｒ8、Ｒ9、Ｒ12、Ｒ13、Ｒ16は水素原子を表す。無置換スルファモイル基の数と置換スルファモイル基の数の和は２から４であり、且つ無置換スルファモイル基の数は１から３であり、置換スルファモイル基の数は１から３である。
Ｒ2とＲ3、Ｒ6とＲ7、Ｒ10とＲ11、Ｒ14とＲ15の組み合わせにおいて、好ましくは、それぞれ一方が水素原子であり、もう一方が無置換スルファモイル基（−ＳＯ2ＮＨ2）又は式（３）で表される置換スルファモイル基であり、かつＲ2、Ｒ3、Ｒ6、Ｒ7、Ｒ10、Ｒ11、Ｒ14、Ｒ15のうち、少なくとも１つは無置換スルファモイル基、少なくとも１つは前記式（３）で表される置換スルファモイル基である。
【００３８】
本発明の式（１）で示されるフタロシアニン色素において、前記式（２）で表される無置換スルファモイル基と、式（３）で表される置換スルファモイル基の比率は１：３〜３：１である化合物である。
式（２）で表される無置換スルファモイル基の比率が高い場合は、オゾン耐性が高くなる一方、水溶性が低く、ブロンズ現象が起きやすい傾向にある。逆に式（３）で表される置換スルファモイル基の比率が高い場合は、水溶性が高く、ブロンズ現象が起きにくくなる一方、オゾン耐性が低くなる傾向にある。従って、式（３）で表される置換スルファモイル基の種類に応じて、式（２）で表される無置換スルファモイル基と、式（３）で表される置換スルファモイル基の割合を適宜調節し、バランスのよい比率を選択すればよい。
本発明の前記式（１）で示されるフタロシアニン色素における、Ｍと前記式（３）の組み合わせの具体例を表１から５に示すが、本発明に用いられるフタロシアニン色素は、下記の例に限定されるものではない。尚、表中、前記式（３）は遊離酸の形で記す。
【００３９】
【表１】
2004315807.tif 000008
【００４０】
【表２】
2004315807.tif 000009
【００４１】
【表３】
2004315807.tif 000010
【００４２】
【表４】
2004315807.tif 000011
【００４３】
【表５】
2004315807.tif 000012
【００４４】
本発明のフタロシアニン色素は、４−スルホフタル酸誘導体同士又は、４−スルホフタル酸誘導体と（無水）フタル酸誘導体を金属化合物の存在下に反応させることにより得られる化合物（β−位置換型のスルホフタロシアニン）に塩素化剤を反応させ、スルホン酸基をクロロスルホン基に変換した後、アミド化剤と有機アミンを反応させることにより得られる。原料として用いる、４−スルホフタル酸誘導体には、３位にスルホン化されたものが通常１５〜２５重量％程度不純物として含有し、それ由来のα位置換体が目的フタロシアニン色素中に混入する。本発明の効果をより高めるためには（特に耐オゾン性の高いインクを得る為には）、３位にスルホン化された不純物の含有量が少ない原料を使用するのが好ましい。
また、目的フタロシアニン色素中には、反応中にクロロスルホン基が一部分解したものが反応生成物中に混入されるが特に支障はない。得られる色素は下記式（９）で表わされ、β位置換体が主成分、即ち少なくとも６０％以上、好ましくは７０％以上、更に好ましくは７５％以上であると考えられる。
【００４５】
【化７】
2004315807.tif 000013
【００４６】
（式（９）中、Ｍ、Ｒ17、Ｒ18は前記と同様の意味を表す。ｌは０を含み１より小さく、好ましくは０．７以下、より好ましくは０．５以下、もっとも好ましくは０．３以下であり、ｎは０．３以上、好ましくは０．７以上で３以下、ｍは１以上で３．７以下であり、ｌ、ｍ、ｎの合計は２以上４以下である、なお、ｌ、ｍ、ｎの値は混合物における平均値を示す。）
【００４７】
本発明のフタロシアニン色素を製造するにあたり、アミド化剤と、式（３）で表される置換スルファモイル基に対応する有機アミンの比率（モル比）を該フタロシアニン色素に導入される無置換スルファモイルと置換スルファモイルの比率が１：３〜３：１になるような比率で用いることが好ましい。無置換スルファモイル基の比率（アミド化剤の反応比率）が高い場合は、得られたフタロシアニン色素を含有するインクで記録した画像のオゾン耐性が高くなる一方、水溶性が低く、ブロンズ現象が起きやすい傾向にある。逆に有機アミンの比率が高い場合は、得られたフタロシアニン色素は水溶性が高く、ブロンズ現象が起きにくくなる一方、オゾン耐性が低くなる傾向にある。従って、用いる有機アミンの種類に応じて、アミド化剤と、有機アミンの割合を適宜調節し、バランスのよい比率を選択すればよい。
【００４８】
本発明の式（１）の化合物の製造方法を説明する。
【００４９】
まず、式（５）で表される金属フタロシアニンスルホン酸を合成する。尚、前述のとおり、本発明のフタロシアニン色素には原料由来によるα−位置換体が副生するが、製造方法の説明においては、主成分のβ−位置換体で記載する。
式（５）を合成するには、例えば触媒及び金属化合物の存在下、４−スルホフタル酸誘導体又は、４−スルホフタル酸誘導体と（無水）フタル酸誘導体を反応させる事により得られる。
４−スルホフタル酸と（無水）フタル酸の反応のモル比を変えることによりスルホン基の数、つまりａ〜ｄの数を調整することが可能である。４−スルホフタル酸誘導体としては４−スルホフタル酸、４−スルホ無水フタル酸、４−スルホフタルイミド、４−スルホフタロニトリル、４または５−スルホ−２−シアノベンザミド及び５−スルホ−１，３−ジイミノイソインドリン若しくはそれらの塩が挙げられる。これらの中で通常４−スルホフタル酸若しくはその塩が好ましい。但し、フタル酸、無水フタル酸及びフタルイミドの場合は尿素の添加が必須である。尿素の使用量は４−スルホフタル酸誘導体１モルに対し５〜１００倍モル量である。
【００５０】
【化８】
2004315807.tif 000014
［式（５）中、Ｍ、Ｌ、ａ、ｂ、ｃ、ｄは前記と同じ意味を表す。］
【００５１】
また、反応は通常、溶媒の存在下に行われ、溶媒としては沸点１００℃以上、より好ましくは１３０℃以上の有機溶媒が用いられる。例えば、ｎ−アミルアルコール、ｎ−ヘキサノール、シクロヘキサノール、２−メチル−１−ペンタノール、１−ヘプタノール、１−オクタノール、２−エチルヘキサノール、ベンジルアルコール、エチレングリコール、プロピレングリコール、トリクロロベンゼン、クロロナフタレン、ニトロベンゼン、キノリン、スルホラン、尿素等が挙げられる。溶媒の使用量は４−スルホフタル酸誘導体の１〜１００質量倍である。
【００５２】
触媒としては、１，８−ジアザビシクロ［５，４，０］−７−ウンデセン、モリブデン酸アンモニウム及びホウ酸等が挙げられる。添加量は４−スルホフタル酸誘導体１モルに対し、０．００１〜１倍モルである。
【００５３】
金属化合物としては、Ｌｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等のハロゲン化物、カルボン酸塩、硫酸塩、硝酸塩、アセチルアセトナート、カルボニル化合物、錯体等が挙げられる。例えば、塩化銅、臭化銅、塩化ニッケル、酢酸ニッケル、塩化コバルト、酢酸コバルト、コバルトアセチルアセトナート等が挙げられる。金属化合物の使用量は４−スルホフタル酸誘導体または、４−スルホフタル酸誘導体と（無置換）フタル酸誘導体の総計１モルに対し、０．１５〜０．３５倍モルである。
【００５４】
反応温度は通常１００〜２９０℃であり、好ましくは１３０〜２７０℃である。また反応時間は反応温度により変わるが通常１〜８時間である。反応終了後、濾過、塩析（又は酸析）、乾燥する事により金属フタロシアニンテトラスルホン酸又はその塩の形で得られる。遊離酸とするには、例えば酸析すればよい。また、塩にするには、塩析するか、塩析によって所望の塩が得られないときには、例えば遊離酸にしたものに所望の有機又は無機の塩基を添加する通常の塩交換法を利用すればよい。
【００５５】
また、Ｍが銅である、銅フタロシアニンテトラスルホン酸またはその塩は、特許文献８に記載の方法で合成され、前記式（５）におけるａ、ｂ、ｃ、ｄが１で表される化合物は、スルホラン溶媒中、４−スルホフタル酸（１モル）、塩化銅（ＩＩ）（０．３モル）、リンモリブデン酸アンモニウム（０．００３モル）、尿素（６モル）、塩化アンモニウム（０．５モル）を１８０℃、６時間反応させることにより前記式（５）で表される銅フタロシアニンテトラスルホン酸が得られる。４−スルホフタル酸誘導体、金属化合物、溶媒及び触媒等の種類や使用量により反応性は異なり上記に限定されるものではない。
【００５６】
式（５）で表される、フタロシアニンスルホン酸又はその塩を、例えば有機溶媒、硫酸、発煙硫酸又はクロロスルホン酸等の溶媒中でクロロ化剤を反応させる事により、式（７）で表される金属フタロシアニンスルホン酸クロリド得られる。クロロ化剤はフタロシアニンスルホン酸又はその塩のスルホン酸基に対して、過剰に使用するのが好ましく、該スルホン酸基に対するモル割合で１〜１０倍程度であり、１．５倍以上が好ましい。反応に用いられる有機溶剤としてはベンゼン、トルエン、ニトロベンゼン、クロロベンゼン、Ｎ，Ｎ−ジメチルホルムアミド、Ｎ，Ｎ−ジメチルアセトアミド等が挙げられるが、これらに限定されるものではない。また、クロル化剤としてはクロロスルホン酸、塩化チオニル、塩化スルフリル、三塩化リン、五塩化リン、オキシ塩化リン等が挙げられるが、これらに限定されるものではない。また、本発明のフタロシアニン色素は一部、フタロシアニン核にクロロ化された不純物が生成し、反応生成物中に混入されてもよい。
【００５７】
【化９】
2004315807.tif 000015
〔式中、Ｍ、ａ、ｂ、ｃ、ｄは前記と同じ意味を表す。〕
【００５８】
次に、得られたフタロシアニンテトラスルホン酸クロリドと対応する有機アミンとアミド化剤を水溶媒中で通常ｐＨ６〜１０、通常５〜７０℃、通常１〜２０時間反応させる事により目的の化合物が得られる。アミド化剤と有機アミンの使用量は、両者の合計（モル比）で上記フタロシアニンスルホン酸クロリドのスルホン酸クロリド基に対して等モル以上が好ましく、通常１〜２０倍モル、好ましくは１．５〜５倍モル程度である。上記有機アミンの割合は、目的化合物の置換スルファモイル基の割合に応じて使用すればよい。
反応に用いられるアミド化剤としては例えば、塩化アンモニウム、硫酸アンモニウム等のアンモニウム塩、尿素、アンモニア水、アンモニアガス等が挙げられるが、これらに限定されるものではない。
【００５９】
なお、有機アミンの使用量は通常、フタロシアニン色素１モルに対して、通常、理論値の１倍モル以上であるが、有機アミンの反応性、反応条件により異なり、これらに限定されるものではない。
【００６０】
また、本発明のフタロシアニン色素は一部、２価の連結基（Ｌ）を介してフタロシアニン環（Ｐｃ）が２量体（例えばＰｃ−Ｌ−Ｐｃ）または３量体を形成した不純物が生成し、反応生成物中に混入されてもよく、その時複数個存在するＬは、それぞれ同一であっても異なるものであってもよい。
【００６１】
Ｌで表される２価の連結基はスルホニル基（−ＳＯ2−）、−ＳＯ2−ＮＨ−ＳＯ2−などが挙げられる。また、該連結基はこれらを組み合わせて形成される基であってもよい。
【００６２】
こうして得られた本発明のフタロシアニン色素は酸析又は塩析後、濾過等により分離することが出来る。塩析は例えば酸性〜アルカリ性、好ましくはｐＨ１〜１１の範囲で塩析を行うことが好ましい。塩析の際の温度は特に限定されないが、通常４０〜８０℃、好ましくは５０〜７０℃に加熱後、食塩等を加えて塩析するのが好ましい。
【００６３】
上記の方法で合成される、本発明の前記式（１）、式（２）、式（３）で表わされるフタロシアニン色素は、遊離酸の形あるいはその塩の形で得られる。遊離酸とするには、例えば酸析すればよい。また、塩にするには、塩析するか、塩析によって所望の塩が得られないときには、例えば遊離酸にしたものに所望の有機又は無機の塩基を添加する通常の塩交換法を利用すればよい。
【００６４】
本発明のシアンインクは、上記の方法にて製造された前記式（１）のフタロシアニン色素を含み、水を媒体として調製されるが、このインクをインクジェット記録用インクとして使用する場合、フタロシアニン色素に含まれるＣｌ-及びＳＯ42-等の陰イオンの含有量は少ないものが好ましく、その含有量の目安は、フタロシアニン色素中でＣｌ-及びＳＯ42-の総含量として５質量％以下、好ましくは３質量％以下、更に好ましくは１質量％以下であり、インク中に１質量％以下である。Ｃｌ-及びＳＯ42-の少ない本発明のフタロシアニン色素を製造するには、例えば逆浸透膜による通常の方法又は本発明のフタロシアニン色素の乾燥品あるいはウェットケーキをアルコール及び水の混合溶媒中で撹拌し、濾過、乾燥する等の方法で脱塩処理すればよい。用いるアルコールは、炭素数１〜４の低級アルコール好ましくは炭素数１〜３のアルコール、更に好ましくはメタノール、エタノール又は２−プロパノールである。また、アルコールでの脱塩処理の際に、使用するアルコールの沸点近くまで加熱後、冷却して脱塩する方法も採用しうる。Ｃｌ-及びＳＯ42-の含有量は例えばイオンクロマトグラフ法で測定される。
【００６５】
本発明のシアンインクをインクジェット記録用インクとして使用する場合、フタロシアニン色素に含まれる亜鉛、鉄等の重金属（イオン）、カルシウム、シリカ等の金属（陽イオン）等の含有量が少ないものを用いるのが好ましい（フタロシアニン骨格に含有される金属（式（１）におけるＭ）は除く）。その含有量の目安は例えば、フタロシアニン色素の精製乾燥品中に、亜鉛、鉄等の重金属（イオン）、カルシウム、シリカ等の金属（陽イオン）について各々５００ｐｐｍ以下程度である。重金属（イオン）及び金属（陽イオン）の含有量はイオンクロマトグラフ法、原子吸光法又はＩＣＰ（Ｉｎｄｕｃｔｉｖｅｌｙ  Ｃｏｕｐｌｅｄ  Ｐｌａｓｍａ）発光分析法にて測定される。
【００６６】
本発明のインク中に前記式（１）のフタロシアニン色素は、０．１〜８質量％、好ましくは０．３〜６質量％含有される。低い濃度のインクには本発明のフタロシアニン色素は０．１〜２．５質量％含有される。
【００６７】
本発明のインクは水を媒体として調製される。本発明のインク中に、上記のようにして得られた前記条件を備えた前記式（１）の化合物又はその塩の混合物は、０．３〜６質量％含有される。本発明のインクにはさらに必要に応じて、水溶性有機溶剤を、本発明の効果を害しない範囲内において含有される。水溶性有機溶剤は、染料溶解剤、乾燥防止剤（湿潤剤）、粘度調整剤、浸透促進剤、表面張力調整剤、消泡剤等として使用される。その他インク調製剤としては、例えば、防腐防黴剤、ｐＨ調整剤、キレート試薬、防錆剤、紫外線吸収剤、粘度調整剤、染料溶解剤、褪色防止剤、乳化安定剤、表面張力調整剤、消泡剤、分散剤、分散安定剤、等の公知の添加剤が挙げられる。水溶性有機溶剤の含有量ははインク全体に対して０〜６０質量％好ましくは１０〜５０質量％用い、インク調製剤ははインク全体に対して０〜２０質量％好ましくは０〜１５質量％用いるのが良い。上記以外の残部は水である。
【００６８】
本発明で使用しうる水溶性有機溶剤としては、例えばメタノール、エタノール、ｎ−プロパノール、イソプロパノール、ｎ−ブタノール、イソブタノール、第二ブタノール、第三ブタノール等のＣ１〜Ｃ４アルカノール、Ｎ，Ｎ−ジメチルホルムアミドまたはＮ，Ｎ−ジメチルアセトアミド等のカルボン酸アミド、２−ピロリドン、Ｎ−メチル−２−ピロリドン、１，３−ジメチルイミダゾリジン−２−オンまたは１，３−ジメチルヘキサヒドロピリミド−２−オン等の複素環式ケトン、アセトン、メチルエチルケトン、２−メチル−２−ヒドロキシペンタン−４−オン等のケトンまたはケトアルコール、テトラヒドロフラン、ジオキサン等の環状エーテル、エチレングリコール、１，２−または１，３−プロピレングリコール、１，２−または１，４−ブチレングリコール、１，６−ヘキシレングリコール、ジエチレングリコール、トリエチレングリコール、テトラエチレングリコール、ジプロピレングリコール、チオジグリコール、ポリエチレングリコール、ポリプロピレングリコール等の（Ｃ２〜Ｃ６）アルキレン単位を有するモノマー、オリゴマーまたはポリアルキレングリコールまたはチオグリコール、グリセリン、ヘキサン−１，２，６−トリオール等のポリオール（トリオール）、エチレングリコールモノメチルエーテルまたはエチレングリコールモノエチルエーテル、ジエチレングリコールモノメチルエーテル又はジエチレングリコールモノエチルエーテル又はトリエチレングリコールモノメチルエーテル又はトリエチレングリコールモノエチルエーテル等の多価アルコールの（Ｃ１〜Ｃ４）アルキルエーテル、γーブチロラクトンまたはジメチルスルホキシド等があげられる。
【００６９】
本発明のインクにおいて、水溶性有機溶剤として好ましいものは、炭素数３〜８のモノ又は多価アルコール及び炭素数１〜３のアルキル置換を有しても良い２−ピロリドンなどが挙げられ、多価アルコールとしてはヒドロキシ基を２〜３有するものが好ましい。具体的にはイソプロパノール、グリセリン、モノ、ジまたはトリエチレングリコール、ジプロピレングリコール、２−ピロリドン、Ｎ−メチル−２−ピロリドン、ブタノール等であり、より好ましくはイソプロパノール、グリセリン、ジエチレングリコール、２−ピロリドンである。これらの水溶性有機溶剤は、単独もしくは混合して用いられる。
【００７０】
防腐防黴剤としては、例えば、有機硫黄系、有機窒素硫黄系、有機ハロゲン系、ハロアリルスルホン系、ヨードプロパギル系、Ｎ−ハロアルキルチオ系、ベンツチアゾール系、ニトチリル系、ピリジン系、８−オキシキノリン系、ベンゾチアゾール系、イソチアゾリン系、ジチオール系、ピリジンオシキド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えばペンタクロロフェノールナトリウムが挙げられ、ピリジンオシキド系化合物としては、例えば２−ピリジンチオール−１−オキサイドナトリウムが挙げられ、無機塩系化合物としては、例えば無水酢酸ソーダが挙げられ、イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤としてソルビン酸ソーダ安息香酸ナトリウム、等（例えば、アベシア社製プロクセルＧＸＬ（Ｓ）、プロクセルＸＬ−２（Ｓ）等）があげられる。
【００７１】
ｐＨ調整剤は、インクの保存安定性を向上させる目的で、インクのｐＨを６．０〜１１．０の範囲に制御できるものであれば任意の物質を使用することができる。例えば、ジエタノールアミン、トリエタノールアミンなどのアルカノールアミン、水酸化リチウム、水酸化ナトリウム、水酸化カリウムなどのアルカリ金属の水酸化物、水酸化アンモニウム、あるいは炭酸リチウム、炭酸ナトリウム、炭酸カリウムなどのアルカリ金属の炭酸塩などが挙げられる。
【００７２】
キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどがあげられる。防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライトなどがあげられる。
【００７３】
紫外線吸収剤としては、例えばベンゾフェノン系化合物、ベンゾトリアゾール系化合物、桂皮酸系化合物、トリアジン系化合物、スチルベン系化合物、又はベンズオキサゾール系化合物に代表される紫外線を吸収して蛍光を発する化合物、いわゆる蛍光増白剤も用いることができる。
【００７４】
粘度調整剤としては、水溶性有機溶剤の他に、水溶性高分子化合物があげられ、例えばポリビニルアルコール、セルロース誘導体、ポリアミン、ポリイミン等があげられる。
【００７５】
染料溶解剤としては、例えば尿素、ε−カプロラクタム、エチレンカーボネート等があげられる。
【００７６】
褪色防止剤は、画像の保存性を向上させる目的で使用される。褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。
【００７７】
表面張力調整剤としては、界面活性剤があげられ、例えばアニオン界面活性剤、両性界面活性剤、カチオン界面活性剤、ノニオン界面活性剤などがあげられる。アニオン界面活性剤としてはアルキルスリホカルボン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリルスルホン塩酸、ジエチルスルホ琥珀酸塩、ジエチルヘキルシルスルホ琥珀酸ジオクチルスルホ琥珀酸塩などが挙げられる。カチオン界面活性剤としては２−ビニルピリジン誘導体、ポリ４−ビニルピリジン誘導体などがある。両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などがある。ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレオクチルフェニルエーテル、ポリオキシエチレンオレイルエーテル、ポリオキシエチレンラウリルエーテル、ポリオキシエチレンアルキルエーテル、ポリオキシアリルキルアルキルエーテル等のエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレートなどのエステル系、２，４，７，９−テトラメチル−５−デシン−４，７−ジオール、３，６−ジメチル−４−オクチン−３，６−ジオール、３，５−ジメチル−１−ヘキシン−３オールなどのアセチレングリコール系（例えば、日信化学社製サーフィノール１０４、８２、４６５、オルフィンＳＴＧ等）、等が挙げられる。これらのインク調製剤は、単独もしくは混合して用いられる。なお、本発明のインクの表面張力は通常２５〜７０ｍＮ／ｍ、より好ましくは２５〜６０ｍＮ／ｍである。また本発明のインクの粘度は３０ｍＰａ・ｓ以下が好ましい。更に２０ｍＰａ・ｓ以下に調整することがより好ましい。
【００７８】
消泡剤としては、フッ素系、シリコーン系化合物が必要に応じて用いられる。
【００７９】
本発明のインクを製造方法するにあたり、各薬剤を溶解させる順序には特に制限はない。インクを調製するにあたり、用いる水はイオン交換水または蒸留水など不純物が少ない物が好ましい。さらに、必要に応じメンブランフィルターなどを用いて精密濾過を行って夾雑物を除いてもよく、インクジェットプリンタ用のインクとして使用する場合は精密濾過を行うことが好ましい。精密濾過を行うフィルターの孔径は通常１ミクロン〜０．１ミクロン、好ましくは、０．８ミクロン〜０．２ミクロンである。
【００８０】
本発明のインクは、単色の画像形成のみならず、フルカラーの画像形成に用いることができる。フルカラー画像を形成するために、マゼンタインク、イエローインク、ブラックインクとのインクセットとしても使用される。更にはより高精細な画像を形成する為に、ライトマゼンタインク、ブルーインク、グリーンインク、オレンジインク、ダークイエローインク、グレーインク等と併用したインクセットとしても使用される。
【００８１】
適用できるイエローインクの色素としては、種々のものを使用することが出来る。例えばカップリング成分（以降カプラー成分と呼ぶ）としてフェノール類、ナフトール類、アニリン類、ピラゾロンやピリドン等のようなヘテロ環類、開鎖型活性メチレン化合物類、などを有するアリールもしくはヘテリルアゾ染料；カプラー成分として開鎖型活性メチレン化合物類などを有するアゾメチン染料；ベンジリデン染料やモノメチンオキソノール染料等のようなメチン染料；ナフトキノン染料、アントラキノン染料等のようなキノン系染料などがあり、これ以外の染料種としてはキノフタロン染料、ニトロ・ニトロソ染料、アクリジン染料、アクリジノン染料等を挙げることができる。
【００８２】
適用できるマゼンタインクの色素としては、種々のものを使用することが出来る。例えばカプラー成分としてフェノール類、ナフトール類、アニリン類などを有するアリールアゾ染料；カプラー成分としてピラゾロン類、ピラゾロトリアゾール類などを有するアゾメチン染料；アリーリデン染料、スチリル染料、メロシアニン染料、シアニン染料、オキソノール染料などのメチン染料；ジフェニルメタン染料、トリフェニルメタン染料、キサンテン染料などのカルボニウム染料；ナフトキノン、アントラキノン、アントラピリドンなどのようなキノン染料及びジオキサジン染料等の縮合多環染料等を挙げることができる。
【００８３】
前記の各色素は、クロモフォアの一部が解離して初めてイエロー、マゼンタ、シアンの各色を呈するものであってもよく、その場合のカウンターカチオンはアルカリ金属や、アンモニウムのような無機のカチオンであってもよいし、ピリジニウム、４級アンモニウム塩のような有機のカチオンであってもよく、さらにはそれらを部分構造に有するポリマーカチオンであってもよい。適用できるブラック色素としては、ジスアゾ、トリスアゾ、テトラアゾ染料のほか、カーボンブラックの分散体を挙げることができる。
【００８４】
本発明のインクは、印捺、複写、マーキング、筆記、製図、スタンピング等の記録方法に使用でき、特にインクジェット印捺法における使用に適する。
【００８５】
本発明のインクジェット記録方法は、前記で調整されたインクにエネルギーを供与して、公知の受像材料、即ち普通紙、樹脂コート紙、インクジェット専用紙、光沢紙、光沢フィルム、電子写真共用紙、繊維や布（セルロース、ナイロン、羊毛等）、ガラス、金属、陶磁器、皮革等に画像を形成する。
【００８６】
画像を形成する際に、光沢性や耐水性を与えたり耐候性を改善する目的からポリマー微粒子分散物（ポリマーラテックスともいう）を併用してもよい。ポリマーラテックスを被記録材に付与する時期については、着色剤を付与する前であっても，後であっても、また同時であってもよく、したがって添加する場所も被記録材中であっても、インク中であってもよく、あるいはポリマーラテックス単独の液状物として使用しても良い。
【００８７】
以下に、本発明のインクを用いてインクジェットプリントをするのに用いられる被記録材（特に記録紙及び記録フィルム）について説明する。記録紙及び記録フィルムにおける支持体は、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等からなり、必要に応じて顔料、バインダー、サイズ剤、定着剤、カチオン剤、紙力増強剤等の添加剤を混合し、長網抄紙機、円網抄紙機等の各種装置で製造されたもの等が使用可能である。これらの支持体の他に合成紙、プラスチックフィルムシートのいずれであってもよく、支持体の厚みは１０〜２５０μｍ、坪量は１０〜２５０ｇ／ｍ2が望ましい。支持体には、そのままインク受容層及びバックコート層を設けてもよいし、デンプン、ポリビニルアルコール等でサイズプレスやアンカーコート層を設けた後、インク受容層及びバックコー卜層を設けてもよい。更に支持体には、マシンカレンダー、ＴＧカレンダー、ソフトカレンダー等のカレンダー装置により平坦化処理を行ってもよい。本発明では支持体として、両面をポリオレフィン（例えば、ポリエチレン、ポリスチレン、ポリエチレンテレフタレート、ポリブテン及びそれらのコポリマー）でラミネートした紙及びプラスチックフィルムがより好ましく用いられる。ポリオレフィン中に、白色顔料（例えば、酸化チタン、酸化亜鉛）又は色味付け染料（例えば、コバルトブルー、群青、酸化ネオジウム）を添加することが好ましい。
【００８８】
支持体上に設けられるインク受容層には、顔料や水性バインダーが含有されていてもよい。顔料としては、白色顔料が好ましく、白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の白色無機顔料、スチレン系ピグメント、アクリル系ピグメント、尿素樹脂、メラミン樹脂等の有機顔料等が挙げられる。インク受容層に含有される白色顔料としては、多孔性無機顔料が好ましく、特に細孔面積が大きい合成非晶質シリカ等が好適である。合成非晶質シリカは、乾式製造法によって得られる無水珪酸及び湿式製造法によって得られる含水珪酸のいずれも使用可能であるが、特に含水珪酸を使用することが望ましい。
【００８９】
インク受容層に含有される水性バインダーとしては、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン、ポリアルキレンオキサイド、ポリアルキレンオキサイド誘導体等の水溶性高分子、スチレンブタジエンラテックス、アクリルエマルジョン等の水分散性高分子等が挙げられる。これらの水性バインダーは単独又は２種以上併用して用いることができる。本発明においては、これらの中でも特にポリビニルアルコール、シラノール変性ポリビニルアルコールが顔料に対する付着性、インク受容層の耐剥離性の点で好適である。インク受容層は、顔料及び水性結着剤の他に媒染剤、耐水化剤、耐光性向上剤、界面活性剤、その他の添加剤を含有することができる。
【００９０】
インク受容層中に添加する媒染剤は、例えばポリマー媒染剤が用いられる。
【００９１】
耐水化剤は、画像の耐水化に有効であり、これらの耐水化剤としては、特にカチオン樹脂が望ましい。このようなカチオン樹脂としては、ポリアミドポリアミンエピクロルヒドリン、ポリエチレンイミン、ポリアミンスルホン、ジメチルジアリルアンモニウムクロライド重合物、カチオンポリアクリルアミド、コロイダルシリカ等が挙げられ、これらのカチオン樹脂の中で特にポリアミドポリアミンエピクロルヒドリンが好適である。これらのカチオン樹脂の含有量は、インク受容層の全固形分に対して１〜１５質量％が好ましく、特に３〜１０質量％であることが好ましい。
【００９２】
耐光性向上剤としては、硫酸亜鉛、酸化亜鉛、ヒンダートアミン系酸化防止剤、ベンゾフェノン系、ベンゾトリアゾール系等の紫外線吸収剤等が挙げられる。これらの中で硫酸亜鉛が好適である。
【００９３】
界面活性剤は、塗布助剤、剥離性改良剤、スベリ性改良剤あるいは帯電防止剤として機能する。界面活性剤の代わりに有機フルオロ化合物を用いてもよい。有機フルオロ化合物は、疎水性であることが好ましい。有機フルオロ化合物の例には、フッ素系界面活性剤、オイル状フッ素系化合物（例えば、フッ素油）及び固体状フッ素化合物樹脂（例えば、四フッ化エチレン樹脂）が含まれる。その他のインク受容層に添加される添加剤としては、顔料分散剤、増粘剤、消泡剤、染料、蛍光増白剤、防腐剤、ｐＨ調整剤、マット剤、硬膜剤等が挙げられる。なお、インク受容層は１層でも２層でもよい。
【００９４】
記録紙及び記録フィルムには、バックコート層を設けることもでき、この層に添加可能な成分としては、白色顔料、水性バインダー、その他の成分が挙げられる。バックコート層に含有される白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬べーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント，ポリエチレン、マイクロカプセル、尿素樹脂、メラミン樹脂等の有機顔料等が挙げられる。
【００９５】
バックコート層に含有される水性バインダーとしては、スチレン／マレイン酸塩共重合体、スチレン／アクリル酸塩共重合体、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。バックコート層に含有されるその他の成分としては、消泡剤、抑泡剤、染料、蛍光増白剤、防腐剤、耐水化剤等が挙げられる。
【００９６】
インクジェット記録紙及び記録フィルムの構成層（バックコート層を含む）には、ポリマーラテックスを添加してもよい。ポリマーラテックスは、寸度安定化、カール防止、接着防止、膜のひび割れ防止のような膜物性改良の目的で使用される。ガラス転移温度が低い（４０℃以下の）ポリマーラテックスを媒染剤を含む層に添加すると、層のひび割れやカールを防止することができる。また、ガラス転移温度が高いポリマーラテックスをバックコート層に添加しても、カールを防止することができる。
【００９７】
これら記録紙及び記録フィルムは、一般的にインクジェット専用紙、光沢紙又は光沢フィルムと呼ばれており、例えばピクトリコ（商品名：旭硝子（株）製）、カラーＢＪペーパー、高品位専用紙、カラーＢＪフォトフィルムシート、スーパーフォトペーパー、プロフェッショナルフォトペーパー（商品名：いずれもキャノン（株）製）、カラーイメージジェット用紙（商品名：シャープ（株）製）、ＰＭ写真用紙、スーパーファイン専用光沢フィルム（商品名：いずれもエプソン（株）製）、ピクタファイン（商品名：日立マクセル（株）製）等として市販されている。特に、本発明のインクを用いたインクジェット記録方法においては、被記録材として支持体上に白色無機顔料粒子を含有するインク受像層を有する記録紙及び記録フィルムに特に有効に機能する。なお、普通紙にも利用できることはもちろんである。
【００９８】
本発明の着色体は、前インクジェットプリンタを用いて、前記インクで被着色材を着色したものである。被着色剤は前記被記録材及びその他のインクジェットプリンタで着色しうる物品であれば特に制限はない
【００９９】
本発明のインクジェット記録方法で、被記録材に記録するには、例えば上記のインクを含有する容器をインクジェットプリンタの所定位置にセットし、通常の方法で、被記録材に記録すればよい。インクジェットプリンタとしては、例えば機械的振動を利用したピエゾ方式のプリンタや加熱により生ずる泡を利用したバブルジェット（登録商標）方式のプリンタ等があげられる。
【０１００】
本発明によるインクは貯蔵中に沈澱、分離することがない。また、本発明によるインクをインクジェット印捺において使用した場合、噴射器（インクヘッド）を閉塞することもない。本発明によるインクは連続式インクジェットプリンタによる比較的長い時間一定の再循環下またはオンデマンド式インクジェットプリンタによる断続的な使用においても、物理的性質の変化を起こさない。
【０１０１】
本発明のインクは、好ましい色素を使用した場合、鮮明なシアン色である。また、特に耐オゾン性に優れ、かつ耐光性、耐水性においても優れた記録物を得ることができる。濃淡のシアンインクのセットとして用いることによって、さらに耐オゾン性及び耐光性、耐水性に優れた記録物を得ることができる。また、他のイエロー、マゼンタ、その他必要に応じて、グリーン、レッド、オレンジ、ブルーなどのインクと共に用いることで、広い可視領域の色調を色出しすることができ、耐オゾン性に優れ、かつ耐光性、耐水性においても優れた記録物を得ることができる。
【実施例】
【０１０２】
以下に本発明を更に実施例により具体的に説明する。尚、本文中「部」及び「％」とあるのは、特別の記載のない限り質量基準である。
【０１０３】
実施例１
式（１）において、Ｍが銅、β位に無置換スルファモイル基２個及び式（３）の置換スルファモイル基２個を有し、式（３）においてＲ17が２−スルホエチル基、Ｒ18が水素原子である化合物の合成
（１）銅フタロシアニンテトラスルホン酸テトラナトリウム塩（β位置換型）の合成（ＭがＣｕであり、ａ、ｂ、ｃ、ｄがすべて１であり、ＬがすべてＮａである、式（５）の化合物）
冷却管の付いた四つ口フラスコに、スルホラン４０部を加え１８０℃まで１時間で昇温し、そこに４−スルホフタル酸モノナトリウム塩４０部、塩化アンモニウム４．５部、尿素５５部、モリブデン酸アンモニウム０．５部、塩化銅（ＩＩ）６部を加え、同温度で６時間攪拌した。反応液を４０℃まで冷却した後、目的物をヌッチェで濾過し、４００部のメタノールで洗浄した。続いて得られたウェットケーキに３００部の水を加え、４８％−水酸化ナトリウム水溶液でｐＨ１１に調整し、８０℃で１時間攪拌した。そして攪拌しながら３５％−塩酸水溶液を加えｐＨを３にし、そこに塩化ナトリウム８０部を徐々に添加した。析出した結晶を濾取し２０％塩化ナトリウム水溶液１５０部で洗浄してウェットケーキ９０部を得た。続いてメタノールを２１０部加え１時間攪拌し、析出した結晶を濾別し、７０％メタノール水溶液３００部で洗浄後乾燥して、式（５）のβ位置換型の銅フタロシアンテトラスルホン酸テトラナトリウム塩２２．９部を青色結晶として得た。λmax：６２９ｎｍ（水溶液中）。
（２）銅フタロシアニンテトラスルホン酸クロリド（β位置換型）の合成（Ｍ＝Ｃｕである式（７）の化合物）
クロロスルホン酸７９部中に攪拌しながら６０℃以下で銅フタロシアニンテトラスルホン酸テトラナトリウム塩９．８部を徐々に仕込み、１２０℃で４時間反応を行った。次に反応液を８０℃まで冷却し、塩化チオニル４７．６部を３０分間かけて滴下し、８０℃で２時間、次いで９０℃で１時間反応を行った。反応液を３０℃以下に冷却し、氷水７００部中にゆっくりと注ぎ、析出している結晶を濾過し、氷冷２％塩酸水溶液２００部で洗浄し銅フタロシアニンテトラスルホン酸クロライドのウェットケーキ３５．２部を得た。
【０１０４】
（３）目的化合物（β位置換体）の合成
氷水１００部中に（２）で得られた銅フタロシアニンテトラスルホン酸クロライドウェットケーキ１７．６部を投入し、攪拌懸濁させた。１０分後、５℃以下を保持したまま２８％アンモニア水を滴下し、ｐＨ９．０に調整した。次に該懸濁液に水５０部中にタウリン１．３部溶解させた水溶液を注加し、２８％アンモニア水を添加しながらｐＨ９．０を保持し、１０℃で２時間、２０℃で２時間、５０℃で１時間反応を行った。水を加え、液量を２００部に調整し、塩化ナトリウム３０部を投入し結晶を析出させた。析出した結晶を濾過分取し、１５％塩化ナトリウム水溶液１００部で洗浄し、ウェットケーキ４４．３部を得た。再度、水に溶解させ、全量を２００部に調整、６０℃に昇温した後、塩化ナトリウム１０部を添加し、３５％塩酸水溶液を添加しｐＨを２に調整し、結晶を析出させた。析出した結晶を濾別し、５％塩化ナトリウム水溶液１００部で洗浄し、Ｎｏ．１で表される化合物のウェットケーキ３１．８部を得た。
得られたウェットケーキ３１．８部をメタノール２６０部中に投入し、水１３部を加え、６０℃で１時間攪拌懸濁させた後、濾過、メタノールで洗浄、乾燥し、青色結晶４．３部をとして得た。
この色素は、β置換体が７５％以上で、水中でのλmaxは６０３．０ｎｍ、溶解性は１０%（ｐＨ９．５の水中）であった。反応及び原料の仕込み量から推定すると、下記式（８）（置換位置を特性せずに遊離酸の形で示す）においてｍが２、ｎが２である化合物である。しかし、液体クロマトグラフ質量分析計で分析した結果、スルホン酸基も確認され、他の分析結果なども合わせるとｌの値（スルホン酸基）が約０．３程度、ｎの値（置換スルファモイル基）は０．３〜２と推定されるので残部がｍ（無置換スルファモイル基）で、ｌ、ｍ、ｎの合計が４というのが実際に近いと思われる。
【０１０５】
【化１０】
2004315807.tif 000016
【０１０６】
実施例２（インク評価）
（Ａ）インクの調製
下記表６に記載の各成分を混合溶解し、０．４５μｍのメンブランフィルター（アドバンテック社製）で濾過する事によりインクを得た。尚、水はイオン交換水を使用した。又、インクのｐＨがｐＨ＝９、総量が１００部になるように水、苛性ソーダ（ｐＨ調整剤）を加えた。インクは実施例１の化合物を用いたインクをＣ−１とした。
【０１０７】
表６
上記実施例１で得られた化合物                              １．３部
水＋苛性ソーダ                                          ７９．６部
グリセリン                                                ５．０部
尿素                                                      ５．０部
Ｎ−メチル−２−ピロリドン                                ４．０部
ＩＰＡ（イソプロピルアルコール）                          ３．０部
ブチルカルビトール                                        ２．０部
サーフィノール１０４ＰＧ５０（商品名：日信化学社製）      ０．１部
計                                                    １００．０部
【０１０８】
比較例として、Ｄｉｒｅｃｔ  Ｂｌｕｅ  １９９として使用されているインクジェット記録用色素、製品名：Ｐｒｏｊｅｔ  Ｃｙａｎ  １（アベシア社製：比較例１）及び、前記特許文献８の実施例１に記載の方法にて合成及び精製したフタロシアニン色素（比較例２）を印刷時、表６の実施例１のインクと同じ印刷濃度になるように同様の方法で調製した。比較例１の製品を用いたインクはＣ−Ａ、比較例２の化合物を用いたインクはＣ−Ｂとした。
【０１０９】
（Ｂ）インクジェットプリント
インクジェットプリンタ（商品名  キヤノン社製  ＢＪ  Ｓ６３０）を用いて、専用紙Ａ（キャノン社製高品位専用紙  ＨＲ−１０１Ｓ）、専用紙Ｂ（ヒューレットパッカード社製ｈｐプレミアムインクジェット専用紙  Ｑ１９４８Ａ）の２種にインクジェット記録を行った。
【０１１０】
（Ｃ）記録画像の評価
１．色相評価
記録画像の色相は、記録紙を測色システム（ＧＲＥＴＡＧ  ＳＰＭ５０：ＧＲＥＴＡＧ社製）を用いて測色し、印刷物のＬ*が４０〜８０の範囲にあるときのａ*、ｂ*値を測色した。評価は好ましいａ*値を−６０〜−２０、ｂ*値を−６０〜−２０と定義し、３段階で行なった。
○：ａ*、ｂ*値共に好ましい領域内に存在
△：ａ*、ｂ*値片方のみ好ましい領域内に存在
×：ａ*、ｂ*値共に好ましい領域外に存在
【０１１１】
２．耐光性試験
記録画像の試験片を、キセノンウェザーメーター（ＡＴＬＡＳ社製  型式Ｃｉ４０００）を用い、０．３６Ｗ／平方メートル照度で、槽内温度２４℃、湿度６０％ＲＨの条件にて５０時間照射した。試験後、反射濃度（Ｄ値）が０．９０〜１．１０の範囲で、試験前後の反射濃度を測色システムを用いて測色した。測定後、色素残存率を（試験後の反射濃度／試験前の反射濃度）×１００（％）で計算して求め、３段階で評価した。
○：残存率７０％以上
△：残存率５０〜７０％
×：残存率５０％未満
【０１１２】
３．耐オゾン性試験
記録画像の試験片を、オゾンウェザーメーター（スガ試験機社製  型式ＯＭＳ−Ｈ）を用い、オゾン濃度１２ｐｐｍ、槽内温度２４℃、湿度６０％ＲＨで３時間放置した。試験後、反射濃度（Ｄ値）が０．９０〜１．１０の範囲で、試験前後の反射濃度を前記の測色システムを用いて測色した。測定後、色素残存率を（試験後の反射濃度／試験前の反射濃度）×１００（％）で計算して求め、３段階で評価した。
○：残存率７０％以上
△：残存率４０〜７０％
×：残存率４０％未満
【０１１３】
４．耐湿性試験
記録画像の試験片を、恒温恒湿器（応用技研産業社製）を用いて、槽内温度５０℃、湿度９０％ＲＨで３日間放置した。試験後、試験片のにじみを目視にて３段階で評価した。
○：にじみが認められない
△：わずかににじみが認められる
×：大きくにじみが認められる
【０１１４】
実施例１で得られた化合物を使用したインク（Ｃ−１）の記録画像の色相評価、耐光性試験結果、耐オゾン性試験結果及び耐湿性試験結果をそれぞれ表７（専用紙Ａ）及び表８（専用紙Ｂ）に表わす。
【０１１５】
表７
インク評価結果：専用紙Ａ
インク番号      色相        耐光性    耐オゾン性    耐湿性
Ｃ−１           ○           ○          ○          ○
Ｃ−Ａ           ○           ○          ×          ○
Ｃ−Ｂ           ○           ○          ×          ○
【０１１６】
表８
インク評価結果：専用紙Ｂ
インク番号      色相        耐光性    耐オゾン性    耐湿性
Ｃ−１           ○           ○          ○          ○
Ｃ−Ａ           ○           ○          ×          ○
Ｃ−Ｂ           ○           ○          ×          ○
【０１１７】
表７及び８から明らかなように、本発明の化合物を用いたシアンインクは色相に優れ、耐光性、耐オゾン性及び耐湿性に優れるものである。特に耐オゾン性に優れることは明らかである。
【０１１８】
実施例３（インクセット）
淡色シアン及び濃色シアンの２種類の濃度が設定されたシアンインクセットを有するインクジェットプリンタ（商品名  キヤノン社製  ＢＪ  Ｆ８５０）に、淡色シアンインクとしてＣ−１を、濃色シアンインクとしてキャノン社純正シアンインクを装着して、専用紙Ａ（キャノン社製高品位専用紙  ＨＲ−１０１Ｓ）、専用紙Ｂ（ヒューレットパッカード社製ｈｐプレミアムインクジェット専用紙  Ｑ１９４８Ａ）の２種にインクジェット記録を行った。印刷結果は、ドット抜けなど生じず、またフルカラー画像印刷としても満足のいく、鮮明な印刷物が得られた。この結果、本発明のインクは、淡色シアン及び濃色シアンの２種類の濃度が設定されたシアンインクセットを有するインクジェットプリンタにも使用できることが確認された。
【０１１９】
本発明のフタロシアニン色素を用いたインクは、シアンインクとして良好な色相を有し、耐光性、耐オゾン性及び耐湿性に優れたインクである。また、長期間保存後の結晶析出、物性変化、色変化等もなく、貯蔵安定性が良好である。更に、他のマゼンタインク及びイエローインクと共に用いることで、広い可視領域の色調を色だしすることができる。従って、本発明のフタロシアニン色素を用いたシアンインクはインクジェット記録用のインクとして極めて有用である。